(57)【要約】【課題】特定エリア内での、携帯電話機が発する電磁波の停止及び代替手段としての通話機能を実現する。【解決手段】携帯電話検出機構１０は、携帯電話機７の病院内への入館を小電力無線通信によって検出して携帯電話機７を着信モードからオフラインモードに変更し、携帯電話機７の入館情報及び所有者情報等を制御装置７に送信する。制御装置７は、携帯電話機７のユーザーが契約する携帯電話事業者の交換機に接続して着信電話転送機能を有効にした上で、自己の電話番号を転送先に設定する。携帯電話機７への呼出要求の転送を受けた制御装置５は、配下の表示端末６に小電力無線通信によって院内の携帯電話機７を検出させ、検出した表示端末６に携帯電話機７の所有者情報を表示させる。携帯電話機７の使用者が表示端末６の通話機能を要求すると、制御装置５は携帯電話機８との通話を実現する。【選択図】図１
2007124326.tif 000002
【特許請求の範囲】
【請求項１】
携帯電話機の使用が規制される特定エリア内で用いられるセキュリティシステムであって、
前記特定エリア内の出入り口付近に該当する第１領域内に配備され、小電力無線通信を行う第１通信部、ＬＡＮによる有線通信を行う第２通信部並びに前記第１及び第２通信部を制御する制御部を有する第１読み出し部と、
前記第１領域よりも前記特定エリア内のより内部に入った第２領域内に配備され、小電力無線通信を行う第１通信部、ＬＡＮによる有線通信を行う第２通信部並びに前記第１及び第２通信部を制御する制御部を有する第２読み出し部と、
前記第２領域よりも更に前記特定エリア内のより内部に入った第３領域内に配備され、小電力無線通信を行う第１通信部、ＬＡＮによる有線通信を行う第２通信部並びに前記第１及び第２通信部を制御する制御部を有する第３読み出し部と、
前記第１読み出し部の前記第２通信部、前記第２読み出し部の前記第２通信部及び前記第３読み出し部の前記第２通信部の各々と有線で繋がった通信部と、当該通信部を制御する制御部とを有する識別機能部とを備えており、
前記第１領域、前記第２領域及び第３領域は何れも小電力無線通信による電磁波が届く範囲の規模の領域であり、
小電力無線通信機能を備えた携帯電話機が当該携帯電話機の使用者の移動に伴い前記第１領域内に入った場合には、前記第１読み出し部の前記第１通信部は、当該携帯電話機との間で小電力無線通信を行って当該携帯電話機の情報を読み出し、取得した当該情報を与える第１通知信号を前記識別機能部の前記通信部を介して前記識別機能部の前記制御部に送信し、
前記携帯電話機が前記使用者の移動に伴い前記第２領域内に入った場合には、前記第２読み出し部の前記第１通信部は、前記携帯電話機との間で小電力無線通信を行って前記携帯電話機の情報を読み出し、取得した当該情報を与える第２通知信号を前記識別機能部の前記通信部を介して前記識別機能部の前記制御部に送信し、
前記携帯電話機が前記使用者の移動に伴い前記第３領域内に入った場合には、前記第３読み出し部の前記第１通信部は、前記携帯電話機との間で小電力無線通信を行って前記携帯電話機の情報を読み出し、取得した当該情報を与える第３通知信号を前記識別機能部の前記通信部を介して前記識別機能部の前記制御部に送信し、
前記第１読み出し部、前記第２読み出し部及び前記第３読み出し部の内の少なくとも一つの読み出し部は、前記携帯電話機との間の小電力無線通信によって前記携帯電話機から読み出すべき情報として、前記携帯電話機の固有識別情報及び所有者情報の両方を読み出して取得する一方、
前記第１読み出し部、前記第２読み出し部及び前記第３読み出し部の内でその他の読み出し部の全ては、前記携帯電話機との間の小電力無線通信によって前記携帯電話機から読み出すべき情報として、前記携帯電話機の前記固有識別情報及び前記所有者情報の内の何れか一方のみを読み出して取得し、
前記識別機能部の前記制御部は、前記第１通知信号、前記第２通知信号及び前記第３通知信号をこの順序で所定の時間内に受信した場合には、前記携帯電話機は外部から前記特定エリア内に入館したものと判断した上で、前記携帯電話機のモードを着信モードから基地局へ電波を発しないオフラインモードに変更する様に指令する、あるいは、前記携帯電話機のモードを前記携帯電話機の呼出音を鳴動させないマナーモードに設定する様に指令する第１コマンドを、前記識別機能部の前記通信部及び前記第３読み出し部の前記第２通信部を介して、前記第３読み出し部の前記制御部へ送信し、
前記第３読み出し部の前記制御部は、前記第１コマンドの受信後に、当該第１通信部を介した前記携帯電話機との間の小電力無線通信の実行によって、前記携帯電話機に対して、そのモードを前記着信モードから前記オフラインモードに変更させる、あるいは、そのモードを前記マナーモードに設定させることを特徴とする、
特定エリア内でのセキュリティシステム。
【請求項２】
請求項１記載の特定エリア内でのセキュリティシステムであって、
前記識別機能部の前記制御部は、前記第３通知信号、前記第２通知信号及び前記第１通知信号をこの順序で前記所定の時間内に受信した場合には、前記携帯電話機は前記特定エリア内から外部へ退館したものと判断した上で、前記携帯電話機のモードを前記オフラインモードから前記着信モードに変更する様に指令する、あるいは、前記携帯電話機に設定されている前記マナーモードを解除する様に指令する第２コマンドを、前記識別機能部の前記通信部及び前記第１読み出し部の前記第２通信部を介して、前記第１読み出し部の前記制御部へ送信し、
前記第１読み出し部の前記制御部は、前記第２コマンドの受信後に、当該第１通信部を介した前記携帯電話機との間の小電力無線通信の実行によって、前記携帯電話機に対して、そのモードを前記オフラインモードから前記着信モードに変更させる、あるいは、前記マナーモードを解除させることを特徴とする、
特定エリア内でのセキュリティシステム。
【請求項３】
請求項２記載の特定エリア内でのセキュリティシステムであって、
前記識別機能部の前記制御部と有線を介して接続され且つ通信回線を介して公衆通信網に接続された制御装置と、
前記制御装置の配下の機器として前記制御装置に有線によって接続された複数の表示端末とを更に備えており、
前記複数の表示端末の各々は、
前記制御装置との間でＬＡＮによる有線通信を行う第３通信部と、
小電力無線通信を行う第４通信部と、
音声の入出力を行うインターホン機能部と、
画像の表示機能を担うモニタと、
前記インターホン機能部を用いた有線による通話機能を実現する操作部を有する入力部と、
前記第３通信部、前記第４通信部、前記インターホン機能部、前記モニタ及び前記入力部の各々を制御する制御部とを有しており、
（ａ）前記識別機能部の前記制御部が、前記携帯電話機の前記特定エリア内への入館有りを判断し、且つ、前記携帯電話機のモードを前記オフラインモードに変更する様に指令する前記第１コマンドを前記第３読み出し部の前記制御部へ送信した場合には、
前記識別機能部の前記制御部は、当該携帯電話機の入館情報を与える信号、並びに、当該携帯電話機の前記固有識別情報及び前記所有者情報の登録を指示する信号を前記制御装置に送信し、その結果、前記制御装置は、当該携帯電話機の前記固有識別情報及び前記所有者情報を自己の記憶装置内に登録・保持すると共に、当該携帯電話機の前記所有者情報に基づき、前記通信回線を介して当該携帯電話機のユーザーが契約している携帯電話事業者の交換機に接続して、当該交換機が提供する着信電話転送機能を有効に設定した上で転送先に自己の電話番号を設定し、
前記転送先の設定処理後に、前記制御装置が前記特定エリア内に入館している登録済みの前記携帯電話機に対する呼出要求の転送を検知したときには、前記制御装置は、前記複数の表示端末の各々に対して、前記呼出要求のあった前記携帯電話機を検出する様に要求する指令を、当該携帯電話機の前記固有識別情報又は前記所有者情報と共に、前記複数の表示端末の各々の前記第３通信部を介して、前記複数の表示端末の各々の前記制御部に送信し、当該指令を受信した各制御部は当該制御部に対応する前記第４通信部を制御して前記第４通信部による小電力無線通信を実行し、当該携帯電話機の前記固有識別情報又は前記所有者情報に基づく照合判断の結果、前記複数の表示端末の内で、前記呼出要求のあった前記携帯電話機との間で小電力無線通信を行うことに成功した表示端末の制御部は、成功した旨を示す信号を対応する第３通信部を介して前記制御装置に返信し、当該返信を受けて前記制御装置は、前記呼出要求のあった前記携帯電話機の検出に成功した前記表示端末の制御部に対して、前記呼出要求のあった前記携帯電話機の前記所有者情報及び着信有りを示す着信情報を対応するモニタに表示する様に指令し、当該指令を受けて、前記呼出要求のあった前記携帯電話機の検出に成功した前記表示端末の制御部は、対応するモニタに、前記呼出要求のあった前記携帯電話機の前記所有者情報及び前記着信情報を表示すると共に、前記呼出要求のあった前記携帯電話機の前記使用者が前記呼出要求のあった前記携帯電話機の検出に成功した前記表示端末の前記入力部の前記操作部を通じて前記通話機能の実現を要求したときには、当該表示端末の制御部は、前記制御装置を介した有線での、前記呼出要求を発した携帯電話機の使用者と前記呼出要求のあった前記携帯電話機の前記使用者との通話を実現し、
（ｂ）前記識別機能部の前記制御部が、前記携帯電話機の前記特定エリア内からの退館有りを判断し、且つ、前記携帯電話機のモードを前記着信モードに変更する様に指令する前記第２コマンドを前記第１読み出し部の前記制御部へ送信した場合には、
前記識別機能部の前記制御部は、当該携帯電話機の退館情報を与える信号、並びに、当該携帯電話機の前記固有識別情報及び前記所有者情報の登録を抹消する様に指示する信号を前記制御装置に送信し、その結果、前記制御装置は、当該携帯電話機の前記所有者情報に基づき、前記通信回線を介して当該携帯電話機のユーザーが契約している前記携帯電話事業者の交換機に接続して、当該交換機が提供する前記着信電話転送機能を無効に設定して転送を解除すると共に、当該携帯電話機の前記固有識別情報及び前記所有者情報を削除することを特徴とする、
特定エリア内でのセキュリティシステム。
【請求項４】
携帯電話機の使用が規制される特定エリア内で用いられるセキュリティシステムであって、
前記特定エリア内の出入り口付近に該当する第１領域内に配備され、小電力無線通信を行う第１通信部、ＬＡＮによる有線通信を行う第２通信部並びに前記第１及び第２通信部を制御する制御部を有する第１読み出し部と、
前記第１領域よりも前記特定エリア内のより内部に入った第２領域内に配備され、小電力無線通信を行う第１通信部、ＬＡＮによる有線通信を行う第２通信部並びに前記第１及び第２通信部を制御する制御部を有する第２読み出し部と、
前記第２領域よりも更に前記特定エリア内のより内部に入った第３領域内に配備され、小電力無線通信を行う第１通信部、ＬＡＮによる有線通信を行う第２通信部並びに前記第１及び第２通信部を制御する制御部を有する第３読み出し部と、
前記第１読み出し部の前記第２通信部、前記第２読み出し部の前記第２通信部及び前記第３読み出し部の前記第２通信部の各々と有線で繋がった通信部と、当該通信部を制御する制御部とを有する識別機能部とを備えており、
前記第１領域、前記第２領域及び第３領域は何れも小電力無線通信による電磁波が届く範囲の規模の領域であり、
小電力無線通信機能を備えた携帯電話機が当該携帯電話機の使用者の移動に伴い前記第１領域内に入った場合には、前記第１読み出し部の前記第１通信部は、当該携帯電話機との間で小電力無線通信を行って当該携帯電話機の固有識別情報及び所有者情報の内で何れか一方の情報を読み出し、取得した前記何れか一方の情報を与える第１通知信号を前記識別機能部の前記通信部を介して前記識別機能部の前記制御部に送信し、
前記携帯電話機が前記使用者の移動に伴い前記第２領域内に入った場合には、前記第２読み出し部の前記第１通信部は、前記携帯電話機との間で小電力無線通信を行って前記携帯電話機の前記何れか一方の情報を読み出し、取得した前記何れか一方の情報を与える第２通知信号を前記識別機能部の前記通信部を介して前記識別機能部の前記制御部に送信し、
前記携帯電話機が前記使用者の移動に伴い前記第３領域内に入った場合には、前記第３読み出し部の前記第１通信部は、前記携帯電話機との間で小電力無線通信を行って前記携帯電話機の前記何れか一方の情報を読み出し、取得した前記何れか一方の情報を与える第３通知信号を前記識別機能部の前記通信部を介して前記識別機能部の前記制御部に送信する一方、
前記識別機能部の前記制御部は、前記第１通知信号、前記第２通知信号及び前記第３通知信号をこの順序で所定の時間内に受信した場合には、前記携帯電話機は外部から前記特定エリア内に入館したものと判断した上で、前記携帯電話機のモードを着信モードから基地局へ電波を発しないオフラインモードに変更する様に指令する、あるいは、前記携帯電話機のモードを前記携帯電話機の呼出音を鳴動させないマナーモードに設定する様に指令する第１コマンドを、前記識別機能部の前記通信部及び前記第３読み出し部の前記第２通信部を介して、前記第３読み出し部の前記制御部へ送信し、
前記第３読み出し部の前記制御部は、前記第１コマンドの受信後に、当該第１通信部を介した前記携帯電話機との間の小電力無線通信の実行によって、前記携帯電話機に対して、そのモードを前記着信モードから前記オフラインモードに変更させる、あるいは、そのモードを前記マナーモードに設定させることを特徴とする、
特定エリア内でのセキュリティシステム。
【発明の詳細な説明】
【技術分野】
【０００１】
この発明は、病院等の特定エリア内でのセキュリティシステムの構築に関する。
【背景技術】
【０００２】
従来、屋内のセキュリティシステムとして、通信網（電話回線、ＩＰ網）を介して外部の遠隔監視サービスセンタ等のコンピュータと接続された制御装置の配下に、表示端末やインターホンや各種センサや映像記録装置等が配備されている。ここで、表示端末は、各部屋や通路等に等間隔で設置され、各センサの状態の確認やインターホンの応対等の各種機能を備えている。
【０００３】
【特許文献１】特開２００３−２３６６０号公報
【特許文献２】特開２００５−５１８２０号公報
【発明の開示】
【発明が解決しようとする課題】
【０００４】
ところで、現在、携帯電話機が発する電磁波は病院内の精密機器の動作に影響を与える可能性から、院内での携帯電話機の使用は規制されている。病院以外にも、電車や飛行機内での携帯電話機の使用の自粛が求められており、又、美術館や図書館等、静粛性が求められるエリアでは、携帯電話機の電波をＯＦＦにする又は携帯電話機の呼出音を鳴動させないことが求められている。
【０００５】
そこで、携帯電話機の使用が規制される特定エリア内での、携帯電話機が発する電磁波の停止及びそれに代わる通話機能が、既存のセキュリティシステムを応用して実現出来ないかが、問われている。
【０００６】
この発明は以上の課題認識を踏まえて成されたものであり、特定エリア内での携帯電話機が発する電磁波の自動停止を実現し、更には携帯電話機による無線通話の代替手段としての有線による通話機能を実現し得るセキュリティシステムを提供することを、その目的としている。
【課題を解決するための手段】
【０００７】
この発明の主題は、携帯電話機の使用が規制される特定エリア内で用いられるセキュリティシステムであって、前記特定エリア内の出入り口付近に該当する第１領域内に配備され、小電力無線通信を行う第１通信部、ＬＡＮによる有線通信を行う第２通信部並びに前記第１及び第２通信部を制御する制御部を有する第１読み出し部と、前記第１領域よりも前記特定エリア内のより内部に入った第２領域内に配備され、小電力無線通信を行う第１通信部、ＬＡＮによる有線通信を行う第２通信部並びに前記第１及び第２通信部を制御する制御部を有する第２読み出し部と、前記第２領域よりも更に前記特定エリア内のより内部に入った第３領域内に配備され、小電力無線通信を行う第１通信部、ＬＡＮによる有線通信を行う第２通信部並びに前記第１及び第２通信部を制御する制御部を有する第３読み出し部と、前記第１読み出し部の前記第２通信部、前記第２読み出し部の前記第２通信部及び前記第３読み出し部の前記第２通信部の各々と有線で繋がった通信部と、当該通信部を制御する制御部とを有する識別機能部とを備えており、前記第１領域、前記第２領域及び第３領域は何れも小電力無線通信による電磁波が届く範囲の規模の領域であり、小電力無線通信機能を備えた携帯電話機が当該携帯電話機の使用者の移動に伴い前記第１領域内に入った場合には、前記第１読み出し部の前記第１通信部は、当該携帯電話機との間で小電力無線通信を行って当該携帯電話機の情報を読み出し、取得した当該情報を与える第１通知信号を前記識別機能部の前記通信部を介して前記識別機能部の前記制御部に送信し、前記携帯電話機が前記使用者の移動に伴い前記第２領域内に入った場合には、前記第２読み出し部の前記第１通信部は、前記携帯電話機との間で小電力無線通信を行って前記携帯電話機の情報を読み出し、取得した当該情報を与える第２通知信号を前記識別機能部の前記通信部を介して前記識別機能部の前記制御部に送信し、前記携帯電話機が前記使用者の移動に伴い前記第３領域内に入った場合には、前記第３読み出し部の前記第１通信部は、前記携帯電話機との間で小電力無線通信を行って前記携帯電話機の情報を読み出し、取得した当該情報を与える第３通知信号を前記識別機能部の前記通信部を介して前記識別機能部の前記制御部に送信し、前記第１読み出し部、前記第２読み出し部及び前記第３読み出し部の内の少なくとも一つの読み出し部は、前記携帯電話機との間の小電力無線通信によって前記携帯電話機から読み出すべき情報として、前記携帯電話機の固有識別情報及び所有者情報の両方を読み出して取得する一方、前記第１読み出し部、前記第２読み出し部及び前記第３読み出し部の内でその他の読み出し部の全ては、前記携帯電話機との間の小電力無線通信によって前記携帯電話機から読み出すべき情報として、前記携帯電話機の前記固有識別情報及び前記所有者情報の内の何れか一方のみを読み出して取得し、前記識別機能部の前記制御部は、前記第１通知信号、前記第２通知信号及び前記第３通知信号をこの順序で所定の時間内に受信した場合には、前記携帯電話機は外部から前記特定エリア内に入館したものと判断した上で、前記携帯電話機のモードを着信モードから基地局へ電波を発しないオフラインモードに変更する様に指令する、あるいは、前記携帯電話機のモードを前記携帯電話機の呼出音を鳴動させないマナーモードに設定する様に指令する第１コマンドを、前記識別機能部の前記通信部及び前記第３読み出し部の前記第２通信部を介して、前記第３読み出し部の前記制御部へ送信し、前記第３読み出し部の前記制御部は、前記第１コマンドの受信後に、当該第１通信部を介した前記携帯電話機との間の小電力無線通信の実行によって、前記携帯電話機に対して、そのモードを前記着信モードから前記オフラインモードに変更させる、あるいは、そのモードを前記マナーモードに設定させることを特徴とする。
【０００８】
以下、この発明の主題の様々な具体化を、添付図面を基に、その効果・利点と共に、詳述する。
【発明の効果】
【０００９】
請求項１に係る発明によれば、小電力無線通信を通じて、特定エリア内に入館した携帯電話機が基地局へ発する電波を自動的に停止させることが出来る。あるいは、小電力無線通信を通じて、特定エリア内に入館した携帯電話機のモードを自動的にマナーモードに設定させることが出来る。
【００１０】
請求項２に係る発明によれば、小電力無線通信を通じて、特定エリア内から退館する携帯電話機のモードを、基地局へ電波を発しないモードから着信モードに自動的に変更することが出来る。あるいは、小電力無線通信を通じて、特定エリア内から退館する携帯電話機のマナーモードを自動的に解除させることが出来る。
【００１１】
請求項３に係る発明によれば、特定エリア内に入館した結果、携帯電話機を用いた通話を行えなくなった当該携帯電話機の使用者は、自己を呼び出しする個別の表示端末及び制御装置を通じた有線通信により、当該表示端末のインターホン機能部を使用して、呼出要求を発した特定エリア外に存在する携帯電話機の使用者と通話を行えることが出来る。
【００１２】
請求項４に係る発明によれば、小電力無線通信を通じて、特定エリア内に入館した携帯電話機が基地局へ発する電波を自動的に停止させることが出来る。あるいは、小電力無線通信を通じて、特定エリア内に入館した携帯電話機のモードを自動的にマナーモードに設定させることが出来る。
【発明を実施するための最良の形態】
【００１３】
（実施の形態１）
図１は、病院でのセキュリティシステムの構成を模式的に示すブロック図である。本システムは、大別して、制御装置５、その配下の機器としての複数台の表示端末６及び携帯電話検出機構１０から成る。この内、携帯電話検出機構１０は、携帯電話機７がその使用者Ａの移動に伴い外部から院内に入館する場合にはその入館を検出して携帯電話機７の動作モードをオフラインモードに変更させる一方で、携帯電話機７がその使用者Ａの移動に伴い院内から外部に退館する場合にはその退館を検出して携帯電話機７の動作モードを再び着信モードに変更させる機能を有する。尚、携帯電話検出機構１０の構成及びその動作については、別の図面を用いて後述する。又、制御装置５は、表示端末の管理、回線制御や動作管理等、本システム全般の制御を担う中核部を成す装置であり、ＣＰＵやメモリ（図示せず）等を備えており、しかも、携帯電話検出機構１０の識別機能部（後述する）と有線を介して接続され且つ通信回線９を介して公衆通信網に接続されている。又、各表示端末６は、音声の入出力（通話等）、画像の表示機能や小電力無線通信機能等、本システム全般の表示及び操作機能を担う機器であり、制御装置５に有線によって接続されており、制御装置５によってその動作が制御される。
【００１４】
図２は、各表示端末６の構成を模式的に示すブロック図である。図２に示す通り、表示端末６は、制御装置５との間でＬＡＮによる有線通信を行う第３通信部６Ａと、小電力無線通信を行う第４通信部６Ｂと、音声の入出力を行うインターホン機能部（スピーカ６Ｄ及びマイク６Ｅから成る。：ヘッドフォンでも良い。）と、画像の表示機能を担うモニタ６Ｆと、モニタ６Ｆ上に表示され且つ操作機能（例えば、通話釦、切断釦、保留釦等の操作部）を有するタッチパネル（入力部）６Ｇと、第３通信部６Ａ、第４通信部６Ｂ、インターホン機能部６Ｄ，６Ｅ、モニタ６Ｆ及びタッチパネル６Ｇの各々を制御する制御部（ＣＰＵ及びメモリ等を有する。）６Ｃを有している。尚、表示端末６は、タッチパネル６Ｇに代えて、機械的な操作用ボタンを入力部として有していても良い。ここで、本実施の形態で言う「小電力無線通信」とは、ＵＨＦ−ＲＦＩＤやＺｉｇＢｅｅ等の無線通信であって、５ｍ程度の近距離無線通信を意味する。この小電力無線通信は、例えば、赤外線や、BluetoothやＵＷＢ等の無線技術によって具現化される。
【００１５】
本システムは、大別すると、（Ａ）携帯電話機７の入館を検知して、同機７の動作モードを、携帯電話事業者の基地局への電波出力を行わない動作モード（オフラインモード）に自動的に変更させる部分と、（Ｂ）携帯電話機７への着信を転送先（病院内）において検知し、且つ、転送先の近隣の表示端末を用いて携帯電話機７を識別し、ユーザー操作によって有線による通話を可能とする部分より成る。
【００１６】
以下では、本システムの動作を、携帯電話機７が院内に入館する場合と院内から退館する場合とに分けて、説明する。尚、本実施の形態では、院内に入退館する携帯電話機は、既述した小電力無線通信機能を有しており、且つ、当該機能が有効になっていることが、前提となっている。従って、携帯電話機７は、小電力無線通信用の送受信機を搭載している。
【００１７】
＜携帯電話機７が外部より病院内に入館する場合の動作＞
（１）携帯電話機の入館の検出
携帯電話検出機構１０は、使用者Ａの携帯電話機７が病院内（特定エリア内）に使用者Ａの移動に伴い入館したことを検出し、直ちに、携帯電話機７と小電力無線通信を行って、携帯電話機７の動作モードを、基地局へ電波を発しないモード（オフラインモード）へ設定変更させる。以下、携帯電話検出機構１０の一般的構成及びその動作について、図３を参照して記載する。
【００１８】
図３は、携帯電話検出機構１０の一般的構成を模式的に示すブロック図である。同機構１０は、携帯電話機の情報を読み出してその情報を伝達する読み出し部１〜３と、その情報に基づいて携帯電話機が入館したか退館したかを識別してその結果を制御装置５へ通知する識別機能部４とから構成される。詳細は次の通りである。
【００１９】
先ず、第１読み出し部１が、特定エリア内の出入り口付近に該当する第１領域ＲＡ内に配備されている。ここで、図４は、各読み出し部の構成を示すブロック図である。従って、第１読み出し部１は、既述した小電力無線通信を行う第１通信部１Ａ、ＬＡＮにより識別機能部４との間で有線通信を行う第２通信部１Ｃ並びに第１及び第２通信部１Ａ，１Ｃを制御する制御部１Ｂ（ＣＰＵ、メモリ等を備える）を有する。
【００２０】
又、第２読み出し部２が、第１領域ＲＡよりも当該特定エリア内のより内部に入った第２領域ＲＢ内に配備されており、同部２は、同様に、小電力無線通信を行う第１通信部２Ａ、ＬＡＮによる有線通信を行う第２通信部２Ｃ並びに第１及び第２通信部２Ａ，２Ｃを制御する制御部２Ｂを有する。
【００２１】
更に、第３読み出し部３が、第２領域ＲＣよりも更に当該特定エリア内のより内部に入った第３領域ＲＣ内に配備されており、同部３もまた、小電力無線通信を行う第１通信部３Ａ、ＬＡＮによる有線通信を行う第２通信部３Ｃ並びに第１及び第２通信部３Ａ，３Ｃを制御する制御部３Ｂを有する。
【００２２】
ここで、図３の第１領域ＲＡ、第２領域ＲＢ及び第３領域ＲＣは何れも、既述した小電力無線通信による電磁波が届く範囲の規模の領域である。
【００２３】
そして、各読み出し部１〜３は、常時、読み出しの状態に設定されており、各読み出し部１〜３の第１通信部１Ａ，２Ａ，３Ａは小電力無線通信用の送受信機（図示せず）を具備している。
【００２４】
又、図５は、図３の識別機能部４の内部構成を模式的に示すブロック図である。同図より、識別機能部４は、第１読み出し部１の第２通信部１Ｃ、第２読み出し部２の第２通信部２Ｃ及び第３読み出し部３の第２通信部３Ｃの各々と有線で繋がった第５通信部４Ａと、制御装置５と有線で繋がった第６通信部４Ｃと、両通信部４Ａ，４Ｃを制御すると共に携帯電話機の入館の有無等を判断する機能を呈する制御部４Ｂ（ＣＰＵ、メモリ等を有する。）を有する。
【００２５】
図３に於いて、入館時の携帯電話機の検出は、次の通りに行われる。即ち、小電力無線通信機能を備えた携帯電話機７が当該携帯電話機７の使用者の移動に伴い外部から第１領域ＲＡ内に入った場合には、第１読み出し部１の第１通信部１Ａの送信機から発する小電力無線の電波が届く範囲内に携帯電話機７が入ったことになるので、第１読み出し部１の第１通信部１Ａは、当該携帯電話機７との間で小電力無線通信を行って、当該携帯電話機７の固有識別情報（ハードウエアに関する番号；例えば製品のシリアル番号）及び所有者情報（電話番号の他、氏名やメールアドレス等）の読み出し要求を当該携帯電話機７に発し、当該携帯電話機７はその小電力無線受信機で当該情報読み出し要求を受信してそれらの情報を小電力無線によってその小電力無線送信機から第１読み出し部１の第１通信部１Ａに発し、その結果、第１読み出し部１の第１通信部１Ａの小電力無線受信機は携帯電話機７から発された上記情報を取得する。そして、第１読み出し部１の制御部１Ｂは、第１通信部１Ａの小電力無線受信機で取得した携帯電話機７の上記固有識別情報及び所有者情報を与える第１通知信号を、第２通信部１Ｃ及び識別機能部４の第５通信部４Ａを介して、識別機能部４の制御部４Ｂに送信する。
【００２６】
更に携帯電話機７がその使用者の移動に伴い第１領域ＲＡから第２領域ＲＢ内に入った場合には、第２読み出し部２の第１通信部２Ａは、携帯電話機７との間で同様に小電力無線通信を行って当該携帯電話機７の上記固有識別情報及び所有者情報を読み出し、第２読み出し部２の制御部２Ｂは、携帯電話機７から取得した上記固有識別情報及び上記所有者情報を与える第２通知信号を、第２通信部２Ｃ及び識別機能部４の第５通信部４Ａを介して、識別機能部４の制御部４Ｂに送信する。
【００２７】
更に携帯電話機７がその使用者の移動に伴い第２領域ＲＢから第３領域ＲＣ内に入った場合には、第３読み出し部３の第１通信部３Ａは、携帯電話機７との間で同様な小電力無線通信を行って携帯電話機７からその固有識別情報及び所有者情報を読み出し、第３読み出し部３の制御部３Ｂは、取得した携帯電話機７の上記固有識別情報及び上記所有者情報を与える第３通知信号を、その第２通信部３Ｃ及び識別機能部の第５通信部４Ａを介して、識別機能部４の制御部４Ｂに送信する。
【００２８】
そして、識別機能部４の制御部４Ｂは、上記の第１通知信号、第２通知信号及び第３通知信号をこの順序で所定の時間内に受信した場合には、携帯電話機７は外部から当該特定エリア内に入館したものと判断した上で、当該携帯電話機７の動作モードを着信モードから基地局へ電波を発しないオフラインモードに変更する様に指令する第１コマンドを、識別機能部４の第５通信部４Ａ及び第３読み出し部３の第２通信部３Ｃを介して、第３読み出し部３の制御部３Ｂへ送信する。その結果、第３読み出し部３の制御部３Ｂは、上記第１コマンドの受信後に、その第１通信部３Ａと携帯電話機７との間の小電力無線通信の実行によって、当該携帯電話機７に対して、そのモードを着信モードからオフラインモードに変更する様に指令し、当該指令を受けた携帯電話機７は自己の動作モードを着信モードからオフラインモードに変更する。
【００２９】
以上に記載した一連の過程を経て、特定エリア（病院）内に入館した携帯電話機７の動作モードは、自動的にオフラインモードに設定される。
【００３０】
図３に示した携帯電話検出機構１０を特定エリアとしての病院に適用した一例を、図６に示す。図６に例示する通り、第１読み出し部１を病院の入出口付近に配置し、第２読み出し部２を受付付近に配置し、第３読み出し部３を診察室あるいは病棟への入口付近に配置する。斯かる配置に於いて、小電力無線通信機能を備え且つ電源がオン状態にある携帯電話機７を有する外来者が当該病院へ入って来ると、第１読み出し部１は、当該携帯電話機７との間の既述した小電力無線通信の実行によって携帯電話機７を検出し、識別機能部（図６では図示せず）４の制御部４Ｂは、当該携帯電話機７は第１入館予備状態にあると判断する。続いて手続のために当該外来者が受付へ行くことで、第２読み出し部２は、当該携帯電話機７との間の既述した小電力無線通信の実行によって携帯電話機７を検出し、識別機能部４の制御部４Ｂは、当該携帯電話機７は第２入館予備状態にあると判断する。更に外来者が診察のために診察室へ向かう、あるいは、見舞いのために病棟へ向かうと、第３読み出し部３は、当該携帯電話機７との間の既述した小電力無線通信の実行によって携帯電話機７を検出し、識別機能部４の制御部４Ｂは、当該携帯電話機７は入館状態にあると判断する。この段階で、識別機能部４の制御部４Ｂは、小電力無線通信によって当該携帯電話機７に対して、その動作モードをオフラインモードへ変更する様に設定命令を発し、当該携帯電話機７は、当該設定命令の受信に伴い、その動作モードをオフラインモードへ変更する。その結果、この時点で、携帯電話機７から基地局への電波出力が停止する（但し、小電力無線機能は除く。）。
【００３１】
（２）代替受信設定
本システムは、病院内に入館した携帯電話機７の使用者は上記（１）の一連の処理によって最早手持ちの携帯電話機７を使って通話することが自動的に出来なくなっているため（使用者がその事実を認識しているか否かと関係なく）、その代替手段としての有線による通話を提供する。そのために、本システムは、上記（１）の一連の処理後、以下に記載する代替受信設定の処理へ移行する。
【００３２】
識別機能部４の制御部４Ｂが携帯電話機７の病院内への入館有りと判断して当該携帯電話機７の動作モードをオフラインモードに設定させた後、識別機能部４の制御部４Ｂは、その第６通信部４Ｃを介して、当該携帯電話機７の入館情報を与える信号、並びに、当該携帯電話機７の上記固有識別情報及び上記所有者情報の登録を指示する信号を有線で以って制御装置５に送信する（入館情報、固有識別情報及び上記所有者情報の通知）。その結果、制御装置５は、入館した当該携帯電話機７の固有識別情報及び所有者情報を、その入館情報と共に、自己の記憶装置（図示せず）内に登録・保持する。その上で、制御装置５は、当該携帯電話機７の所有者情報（ここでは当該携帯電話機７の電話番号）に基づき、通信回線９を介して、当該携帯電話機７のユーザーが契約している携帯電話事業者の交換機に接続して（図１参照）、当該交換機が提供する着信電話転送機能を有効に設定した上で、転送先に自己の電話番号を設定する。ここで、通常は携帯電話機の電話番号が判れば、そのユーザーが契約している携帯電話事業者も知れるため、制御装置５は、入館した携帯電話機７の電話番号より、その携帯電話事業者を認識してその交換機にアクセスする。しかし、仮に携帯電話機のユーザーがその電話番号を変更せずに携帯電話事業者を変更している場合には、制御装置５は、登録した携帯電話機７の電話番号で交換機にアクセス可能となるまで、各携帯電話事業者の交換機に対してその接続を試み続けるか、あるいは、電話番号から携帯電話事業者変更の履歴情報を追及して当該携帯電話機７のユーザーが契約している携帯電話事業者を認識する。あるいは、制御装置５は、登録した携帯電話機７のメールアドレスのドメイン名から当該携帯電話機７のユーザーが契約している携帯電話事業者を認識することも可能である。斯かる認識に基づく交換機への接続の場合をも、「当該携帯電話機７の所有者情報に基づき、通信回線９を介して、当該携帯電話機７のユーザーが契約している携帯電話事業者の交換機に接続すること」に含まれるものと、定義する。
【００３３】
（３）使用者Ａの携帯電話機７の呼出
今、病院外にいる、携帯電話機８の使用者Ｂが、病院内にいる使用者Ａの、制御装置５によって登録済みの携帯電話機７に対して呼出を行うものとする。
【００３４】
（４）転送
携帯電話機８から公衆通信網を介して呼出要求を受けた、携帯電話機７のユーザーが契約している携帯電話事業者の交換機は、当該呼出要求を、既に制御装置５によって設定された転送先（病院内の制御装置５自体）に通信回線９を介して転送する。
【００３５】
（５）認識
制御装置５は、病院内（特定エリア内）に入館している登録済みの携帯電話機７に対する呼出要求の転送を検知すると、各表示端末６に対して、呼出要求のあった登録済みの携帯電話機７を検出する様に要求する指令を、当該携帯電話機７の固有識別情報又は所有者情報（ここでは電話番号）と共に、各表示端末６の第３通信部６Ａを介して、各表示端末６の制御部６Ｃに送信する。その結果、当該指令を受信した各制御部６は、当該制御部６に対応する第４通信部６Ｂの小電力無線送受信機を制御して、第４通信部６Ｂによる小電力無線通信を実行する。これにより、各表示端末６の周囲５ｍ程度の近距離範囲内に所定の波長の電波が発信され、その様な電波が届く範囲内に存在する小電力無線機能付きの各携帯電話機の小電力無線送受信機が当該表示端末６の第４通信部６Ｂに対して応答する。そこで、当該表示端末６の制御部６Ｃは、第４通信部６Ｂと小電力無線通信で応答した各携帯電話機からその固有識別情報又は電話番号を、第４通信部６Ｂの小電力無線送受信機を介して読み出して取得し、取得した固有識別情報又は電話番号が制御装置５から送信されて来た呼出要求のあった携帯電話機７の固有識別情報又は電話番号と一致するか否かの照合判断を逐一行う。その様な照合判断の結果、一致した場合には、当該表示端末６の制御部６Ｃは、呼出要求のあった携帯電話機７を検出し且つ当該携帯電話機７との小電力無線通信に成功したものと、判断する。尚、上記照合判断を、小電力無線通信の受け手側である各携帯電話機の方で行う様にしても良い。
【００３６】
そして、複数の表示端末６の内で、呼出要求のあった携帯電話機７との間で小電力無線通信を行うことに成功した表示端末６（ここで、検出に成功した表示端末６は、一台でも良く、あるいは、複数台であっても良い。）の制御部６Ｃは、検出が成功した旨を示す信号を、対応する第３通信部６Ａを介して、制御装置５に返信する。当該返信を受けて制御装置５は、小電力無線通信を行うこと（検出）に成功した表示端末６の制御部６Ｃに対して、呼出要求のあった携帯電話機７の所有者情報（ここでは電話番号を意味する。携帯電話機７の使用者Ａの氏名も表示しても良い。）及び「着信有り」の情報を表示する様に、対応するモニタ６Ｆに指令する。当該指令を受けて、小電力無線通信を行うことに成功した表示端末６の制御部６Ｃは、対応するモニタ６Ｆに、呼出要求のあった当該携帯電話機７の所有者情報（電話番号等）及び「着信有り」の情報を、表示させる。これらのモニタ６Ｆ上の表示を通じて、小電力無線通信を行って検出に成功した表示端末６は、呼出要求のあった当該携帯電話機７の使用者Ａを呼び出す。
【００３７】
あるいは、携帯電話機７の検出に成功した表示端末６は、これらの表示に加えて、そのスピーカ６Ｄから呼出音又は呼出音声（例えば「Ａさん、着信がありました。」の様な音声）を発する様にしても良い。更には、携帯電話機７の検出に成功した表示端末６は、呼出要求のあった携帯電話機７との小電力無線通信を更に行うことで、当該携帯電話機７に対して、「着信があった」旨を伝える情報を、当該携帯電話機７のディスプレイ上に表示させる様にしても良い。
【００３８】
（６）情報読出し
携帯電話機７との小電力無線通信に成功した表示端末６は、当該表示端末６に携帯電話機７の使用者Ａが接近して来た場合に、携帯電話機７との小電力無線通信を通じて、携帯電話機７に対して、現在呼出のある呼出要求に合致する情報を要求し、該当する情報があれば、その情報を携帯電話機７より読み出して取得し、取得した当該情報をも、モニタ６Ｆに表示する。即ち、表示端末６の制御部６Ｃは、第４通信部６Ｂと携帯電話機７との小電力無線通信を通じて、携帯電話機７に対して、現在呼出要求を発している携帯電話機８の電話番号を送信して、当該携帯電話機８の使用者Ｂが誰なのかを携帯電話機７に問い合わせる。その問合せの要求に対して、携帯電話機７は、自己の電話帳内に登録されている情報の中から、送信されて来た電話番号が登録されているか否かを確認し、該当する情報が存在する場合には送信されて来た電話番号に対応する使用者Ｂの氏名に関する情報を表示端末６の第４通信部６Ｂに送信し、該当する情報が無い場合にはその旨を送信する。その結果、表示端末６の制御部６Ｃは、携帯電話機７から送信されて来た氏名に関する情報に基づき、現在呼出要求を発している携帯電話機８の使用者Ｂの氏名をも、モニタ６Ｆに表示させる。更には、表示端末６の制御部６Ｃは、呼出要求のあった携帯電話機７との小電力無線通信を更に行うことで、当該携帯電話機７に対して、携帯電話機８の使用者Ｂの氏名を伝える情報を、当該携帯電話機７のディスプレイ上に表示させる様にしても良い。これに対して、該当する氏名に関する情報が無い場合には、表示端末６の制御部６Ｃは、携帯電話機８の電話番号を、モニタ６Ｆに表示させる。
【００３９】
更に、表示端末６の制御部６Ｃは、モニタ６Ｆに、インターホン機能部（６Ｄ，６Ｅ）及びタッチパネル６Ｇを用いた有線による通話機能を実現する操作機能（タッチパネル６Ｇ上の通話釦や切断釦や保留釦等の操作部）を表示させる。
【００４０】
（７）通話
携帯電話機７の使用者Ａが、携帯電話機７の検出に成功した表示端末６のモニタ６Ｆ上に表示された情報を見て自己に電話の呼出が入っていることを認識した結果、モニタ６Ｆ上に表示された上記操作機能（操作部）を通じて表示端末６の通話機能の実現を要求したときには、即ち、使用者Ａが表示端末６のタッチパネル６Ｇの通信釦を押したときには、表示端末６の制御部６Ｃは、その第３通信部６Ａ及び制御装置５を介した有線での、呼出要求を発した携帯電話機８の使用者Ｂとの通話を実現する。
【００４１】
尚、携帯電話機７の使用者Ａは、表示端末６のモニタ６Ｆ上に表示されたタッチパネル６Ｇの保留釦を押して携帯電話機８の使用者Ｂとの通話を保留しても良いし、あるいは、今通話したくないときにはタッチパネル６Ｇの切断釦を押しても良い。その様な場合、制御装置５は、保留中である旨、又は、接続不可である旨のメッセージの信号を、携帯電話事業者の交換機に送信することとしても良い。
【００４２】
＜携帯電話機７が病院内より外部に退館する場合の動作＞
（１）携帯電話機の退館の検出
携帯電話検出機構１０は、使用者Ａの携帯電話機７が病院内（特定エリア内）より外部に使用者Ａの移動に伴い退館したことを検出し、直ちに、携帯電話機７と小電力無線通信を行って、携帯電話機７の動作モードを、入館前に設定されていたモード（通常は着信動作を行える着信モード）に変更させる。
【００４３】
退館時の携帯電話機７の検出動作の詳細は、図３に記載する通りである。即ち、携帯電話機７が第３読み出し部３から発する小電力無線の電波が届く範囲である第３領域ＲＣ内に入ると、携帯電話機７と第３読み出し部３の第１通信部３Ａとの間の小電力無線通信が通じ、第３読み出し部３の制御部３Ｂは、携帯電話機７の固有識別情報及び所有者情報を読み出し、取得した固有識別情報及び所有者情報を与える第３通知信号を識別機能部４の第５通信部４Ａを介して識別機能部４の制御部４Ｂに送信する。
【００４４】
更に携帯電話機７が第３領域ＲＣから第２領域ＲＢに入ると、携帯電話機７と第２読み出し部２の第１通信部２Ａとの間の小電力無線通信が通じ、第２読み出し部２の制御部２Ｂは、携帯電話機７の固有識別情報及び所有者情報を読み出し、取得した固有識別情報及び所有者情報を与える第２通知信号を識別機能部４の第５通信部４Ａを介して識別機能部４の制御部４Ｂに送信する。
【００４５】
更に携帯電話機７が第２領域ＲＢから第１領域ＲＡに入ると、携帯電話機７と第１読み出し部１の第１通信部１Ａとの間の小電力無線通信が通じ、第１読み出し部１の制御部１Ｂは、携帯電話機７の固有識別情報及び所有者情報を読み出し、取得した固有識別情報及び所有者情報を与える第１通知信号を識別機能部４の第５通信部４Ａを介して識別機能部４の制御部４Ｂに送信する。
【００４６】
識別機能部４の制御部４Ｂは、上記第３通知信号、上記第２通知信号及び上記第１通知信号をこの順序で所定の時間内に受信した場合には、携帯電話機７は病院内（特定エリア内）から外部へ退館したものと判断し、携帯電話機７の動作モードをオフラインモードから着信モードに変更する様に指令する第２コマンドを、識別機能部４の第５通信部４Ａ及び第１読み出し部１の第２通信部１Ｃを介して、第１読み出し部１の制御部１Ｂへ送信する。
【００４７】
その結果、第１読み出し部１の制御部１Ｂは、上記第２コマンドの受信後に、その第１通信部１Ａを介した携帯電話機７との間の小電力無線通信の実行によって、携帯電話機７に対して、その動作モードをオフラインモードから着信モードに変更する様に指令し、当該指令の受信に応じて、携帯電話機７は、その動作モードを元の着信モードに変更する。
【００４８】
以上の検出動作を図６の具体例に則して記載すれば、診察が終わって外来者が待合室へ戻ってくるときに、再び第３読み出し部３が登録済みの携帯電話機７の存在を検出して取得した携帯電話機７の固有識別情報等を識別機能部に送信することで、識別機能部は携帯電話機７が第１退館予備状態になったと判断する。そして、診察費を払うために外来者が受付へ行くと、再び第２読み出し部２が携帯電話機７の存在を検出して取得した携帯電話機７の固有識別情報等を識別機能部に送信することで、識別機能部は携帯電話機７が第２退館予備状態になったと判断する。その後、外来者が病院の出入り口に行くと、再び第１読み出し部１が携帯電話機７の存在を検出して取得した携帯電話機７の固有識別情報等を識別機能部に送信することで、識別機能部は携帯電話機７が退館状態にあると判断し、第１読み出し部１と携帯電話機７との小電力無線通信を介して携帯電話機７に対してその動作モードを着信モードに戻させる。この段階で、外部に出た外来者の携帯電話機７の近隣基地局への電波出力が再開する。
【００４９】
（２）代替受信設定の解除
その後、識別機能部４の制御部４Ｂは、使用者Ａの携帯電話機７の退館情報を与える信号、並びに、当該携帯電話機７の固有識別情報及び所有者情報の登録を抹消する様に指示する信号を、その第６通信部４Ｃを介して、制御装置５に送信する。その結果、制御装置５は、当該携帯電話機７の所有者情報に基づき、通信回線９を介して当該携帯電話機７のユーザーが契約している携帯電話事業者の交換機に接続して、当該交換機が提供する着信電話転送機能を無効に設定して転送を解除すると共に、その記憶部に登録されている当該携帯電話機７の固有識別情報及び所有者情報を削除する。
【００５０】
（応用例）
図３で既述した携帯電話検出機構１０を病院以外の、同じく携帯電話機の使用が規制される特定エリアに対しても適用して、携帯電話機の電波を特定エリア内に入った段階でＯＦＦに制御することが出来る。
【００５１】
例えば、携帯電話検出機構１０を、列車に乗車する際に携帯電話機からの電波の出力を自動的にＯＦＦするために用いることが出来る。この場合には、例えば、改札口付近が第１領域ＲＡに、階段付近が第２領域ＲＢに、プラットホームの乗車位置付近が第３領域ＲＣに、それぞれ該当する。この場合の同機構１０の基本動作は、病院での場合と同様である。
【００５２】
又、携帯電話検出機構１０を、静粛さが求められる美術館や博物館や図書館の入館の際に、携帯電話機からの電波の出力を自動的にＯＦＦするため又は携帯電話機の呼び出し音を鳴動させないマナーモードに自動的に携帯電話機のモードを設定させるためにも適用可能であり、これらの適用例においても、同機構１０の基本動作は病院の場合に於いて既述した通りである。但し、後者の、マナーモードの設定及びその解除に於いては、入館時に、識別機能部４は入館した携帯電話機７のモードをマナーモードに設定する様に指令する第１コマンドを第３読み出し部３へ送信し、退館時には、識別機能部４は退館した携帯電話機７に設定されているマナーモードを解除する様に指令する第２コマンドを第１読み出し部１へ送信することとなる。
【００５３】
（変形例１）
実施の形態１では、携帯電話検出機構１０に於ける携帯電話機７の入館及び退館の検出方法として、各読み出し部１〜３は、携帯電話機７から固有識別情報と所有者情報の両方を読み出して両情報を識別機能部４へ通知していた。
【００５４】
しかしながら、この方法に代えて、第１読み出し部〜第３読み出し部１〜３の内の少なくとも一つは、携帯電話機７から、その固有識別情報と所有者情報の両方を読み出して両情報を識別機能部４へ通知することとし、その他の読み出し部は固有識別情報と所有者情報の何れか一方を携帯電話機７から読み出して、その一方の情報を識別機能部４へ通知し、識別機能部４は、その他の読み出し部が通知して来た固有識別情報と所有者情報の何れか一方の情報が所定時間内に３度通知されたか否かを判断することで、携帯電話機７の入館の有無及び／又は退館の有無を検出することにしても良い。例えば、第１読み出し部１は携帯電話機７からその固有識別情報と所有者情報の両方を読み出して両情報を与える第１通知信号を識別機能部４へ通知し、第２読み出し部２及び第３読み出し部２，３は共に、携帯電話機７から、その固有識別情報のみ（又は所有者情報のみ）を読み出して、固有識別情報のみ（又は所有者情報のみ）を与える第２及び第３通知信号をそれぞれ識別機能部４へ通知し、識別機能部４は携帯電話機７の固有識別情報（又は所有者情報）を所定の時間内に３度受信するか否かに基づいて、携帯電話機７の入館の有無及び退館の有無を判断する。あるいは、第１読み出し部１及び第２読み出し部２の各々は、携帯電話機７から、その固有識別情報と所有者情報の両方を読み出して両情報を与える第１通知信号及び第２通知信号をそれぞれ識別機能部４へ通知し、第３読み出し部３のみが携帯電話機７から固有識別情報のみ（又は所有者情報のみ）を読み出して、固有識別情報のみ（又は所有者情報のみ）を与える第３通知信号をそれぞれ識別機能部４へ通知することとしても良い。何れの例の場合でも、識別機能部４は携帯電話機７の固有識別情報と所有者情報の両方を取得した上で、取得した固有識別情報及び所有者情報の一方の情報に基づいて携帯電話機７の入館の有無及び退館の有無を判断することが出来る。
【００５５】
（変形例２）
あるいは、携帯電話検出機構１０を携帯電話機７の特定エリア内への入館及び特定エリア内からの退館の検出用としてのみ機能させる場合には（従って、実施の形態１で既述した制御装置５及び表示端末６はこの場合のシステムの構成要素ではなくなる。）、各読み出し部１〜３は、携帯電話機７から固有識別情報のみを読み出して（又は所有者情報のみを読み出して）識別機能部４へ通知することとし、識別機能部４は、送信されて来る固有識別情報のみに基づいて（又は所有者情報のみに基づいて）、携帯電話機７の特定エリア内への入館及び特定エリア内からの退館を検出して、入館時には携帯電話機７のモードをオフラインモードへ変更させ又はマナーモードに設定させ、退館時には携帯電話機７のモードを着信モードへ変更させ又はマナーモードを解除させることにしても良い。
【００５６】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００５７】
【図１】本発明の実施の形態１に係る病院内でのセキュリティシステムの構成を模式的に示すブロック図である。
【図２】表示端末の構成を示すブロック図である。
【図３】携帯電話検出機構の構成を模式的に示すブロック図である。
【図４】各読み出し部の構成を示すブロック図である。
【図５】識別機能部の構成を示すブロック図である。
【図６】病院での携帯電話検出機構の配置例を示す図である。
【符号の説明】
【００５８】
１  第１読み出し部
２  第２読み出し部
３  第３読み出し部
４  識別機能部
５  制御装置
６  表示端末
７  病院内のＡの携帯電話機
８  病院外のＢの携帯電話機
９  通信回線
１０  携帯電話検出機構
【図１】
2007124326.tif 000003
【図２】
2007124326.tif 000004
【図３】
2007124326.tif 000005
【図４】
2007124326.tif 000006
【図５】
2007124326.tif 000007
【図６】
2007124326.tif 000008